(57)【要約】【課題】多様化したニーズに応じた効果的な情報提供を低負担で実現すること。【解決手段】情報提供をする場合、（Ａ）利用者１０３が透過型スクリーン１０２に映し出された表示情報をガラス１０１越しに見ており、この内容に関連する情報が知りたい場合は、（Ｂ）利用者１０３は通信端末１０４を店舗１００に向けて通信し、透過型スクリーン１０２に映し出された表示情報に関連する配信情報を受信する。（Ｃ）通信端末１０４の表示画面１０５には、受信された配信情報が表示される。これにより、利用者１０３は、透過型スクリーン１０２に映し出された表示情報のほか、通信端末１０４に表示されている配信情報を閲覧することができる。【選択図】図１
2010152646.tif 000002
【特許請求の範囲】
【請求項１】
情報提供システムが処理する情報提供方法であって、
前記情報提供システムが、
予め記憶されているコンテンツに関する配信情報を、透明板の周辺部材に埋め込まれた通信装置の記憶領域に書き込む書込工程と、
前記書込工程によって前記配信情報が読み出されたコンテンツに関する表示情報を、前記透明板に設けられた透過型スクリーンに表示させる表示工程と、
前記透明板近傍に存在する通信端末と前記通信装置との無線通信により、前記通信装置の記憶領域に記憶されている前記配信情報を前記通信端末へ送信する送信工程と、
を実行することを特徴とする情報提供方法。
【請求項２】
情報提供システムが処理する情報提供方法であって、
前記情報提供システムが、
透明板の周辺部材に埋め込まれた通信装置により、前記通信装置近傍の通信端末からの情報を取得する情報取得工程と、
前記取得工程によって取得された情報を、前記透過型スクリーンに表示させる表示工程と、
を実行することを特徴とする情報提供方法。
【請求項３】
前記透明板の周辺部材に埋め込まれた人体検出センサにより、前記透明板の表面側にいる前記人体検出センサ近傍の人体を検出する検出工程を含み、
前記情報取得工程は、
前記検出工程によって前記人体が検出された場合、前記通信装置により、前記通信端末からの情報を取得することを特徴とする請求項２に記載の情報提供方法。
【請求項４】
情報提供システムが処理する情報提供方法であって、
前記情報提供システムが、
透明板の周辺部材に埋め込まれた通信装置により、当該通信装置近傍の通信端末からの属性情報を取得する取得し、データベースへ蓄積する情報取得工程と、
前記データベースから、前記情報取得工程によって取得された属性情報に応じた情報を検索する検索工程と、
前記検索工程によって検索された情報を、前記透明板に設けられた透過型スクリーンに投射する投射工程と、
を実行することを特徴とする情報提供方法。
【請求項５】
透明板の周辺部材に埋め込まれた人体検出センサにより、前記人体検出センサ近傍の人体を検出する検出工程を含み、
前記情報取得工程は、
前記検出工程によって前記人体が検出された場合、前記通信装置により、前記通信端末からの属性情報を取得することを特徴とする請求項４に記載の情報提供方法。
【請求項６】
予め記憶されているコンテンツに関する配信情報を読み出す読出手段と、
前記読出手段によって読み出された配信情報を透明板の周辺部材に埋め込まれた通信手段の記憶領域に書き込む書込手段と、
前記読出手段によって前記配信情報が読み出されたコンテンツに関する表示情報を、透明板に設けられた透過型スクリーンに表示させる表示制御手段と、
前記通信手段と前記透明板の近傍に存在する通信端末との非接触通信により、前記通信手段の記憶領域に記憶されている配信情報を前記通信端末に送信する送信手段と、
を備えることを特徴とする情報提供システム。
【請求項７】
透明板の周辺部材に埋め込まれた通信装置により、前記透明板近傍に存在する通信端末からの情報を取得する情報取得手段と、
前記情報取得手段によって取得された前記通信端末からの情報を投射対象に設定する設定手段と、
前記コンピュータに接続された投射装置を制御することにより、前記設定手段によって設定された投射対象を、前記透明板に設けられた透過型スクリーンに表示させる表示制御手段と、
を備えることを特徴とする情報提供システム。
【請求項８】
透明板の周辺部材に埋め込まれた通信装置により、当該通信装置近傍に存在する通信端末からの属性情報を、受信してデータベースに蓄積する蓄積手段と、
前記データベースの中から前記転送手段によって転送された属性情報に応じた情報を検索する検索手段と、
前記検索手段によって検索された情報を、前記透明板に設けられた透過型スクリーンに表示させる表示制御手段と、
を備えることを特徴とする情報提供システム。
【発明の詳細な説明】
【技術分野】
【０００１】
この発明は、情報を提供する情報提供方法および情報提供システムに関する。
【背景技術】
【０００２】
近年、携帯オーディオプレーヤおよびそれによる楽曲データの持ち運びの普及、インターネット上での商取引の増大、情報選択の多様化、ランキング化されたものから手軽に選ぶ購入方法の普及、履歴情報に基づいたプッシュ情報による販売促進、町の個性の希薄さが顕著である。このため、このような現状をベースとしてあらたな情報提供の仕組みが望まれている。
【０００３】
なお、パッシブ型の微小なＲＦＩＤ（Ｒａｄｉｏ  Ｆｒｅｑｕｅｎｃｙ  ＩＤｅｎｔｉｆｉｃａｔｉｏｎ）タグを透明な薄膜体上に備えガラスに貼り付ける技術がある（たとえば、下記特許文献１を参照。）。
【０００４】
また、小型な液晶表示器にＲＦＩＤタグを取り付ける技術がある（たとえば、下記特許文献２を参照。）。さらに、ガラス表面側にパッシブ型ＲＦＩＤタグを備え、裏側のリーダアンテナを通じて電波の送受信を行う仕組みを用いた技術がある（たとえば、下記特許文献３を参照。）。また、ガラスに装着されたパッシブ型ＲＦＩＤタグを用いて固定情報の認識を行う技術がある（たとえば、下記特許文献４を参照。）。
【０００５】
【特許文献１】特開２００８−２７４１６号公報
【特許文献２】特開２００６−５３２３４号公報
【特許文献３】特開２００５−１２４９７３号公報
【特許文献４】特開２００６−３２０８０１号公報
【発明の開示】
【発明が解決しようとする課題】
【０００６】
しかしながら、現状では多種多様な商取引やデータの扱い方が普及しているが、いずれにしてもインターネット上の情報や個人の携帯端末にダウンロードした情報を個人の携帯端末で閲覧・再生したりするにすぎない。
【０００７】
また、ＲＦＩＤタグを用いた従来技術では、防犯上の技術、ガラスのリサイクル技術、防曇用の技術、液晶表示器への取付技術に関するものであるため、情報を提供する側と情報の提供を受ける側との橋渡しとなるような利用はされていない。
【０００８】
また、店舗側では来店する顧客に対して効果的に情報を提供したいというニーズがある反面、情報を提供するスペースには限度があるため、限られた店舗スペースで顧客に対する情報提供を実現する必要がある。
【０００９】
また、町の個性の希薄さが顕著であり、顧客のニーズが多様化しているため、あらたな仕組みで情報提供をすることで、顧客を呼び込みたいという要求もある。しかしながら、店舗の改装に膨大な費用がかかる場合、店舗側が導入を躊躇することも考えられ、新たな仕組みでの情報提供の普及が困難になるおそれがある。また、近年は町の個性の希薄さが顕著であるため、ショーウィンドウの入れ替えやレイアウト変更の頻度を多くすると店舗側の負担が大きくなるという問題がある。
【００１０】
この発明は、上述した従来技術による問題点を解消するため、多様化したニーズに応じた効果的な情報提供を低負担で実現することができる情報提供方法および情報提供システムを提供することを目的とする。
【課題を解決するための手段】
【００１１】
上述した課題を解決し、目的を達成するため、本開示技術の情報提供方法および情報提供システムは、予め記憶されているコンテンツに関する配信情報を、透明板の周辺部材に埋め込まれた通信装置の記憶領域に書き込み、前記配信情報が読み出されたコンテンツに関する表示情報を、前記透明板に設けられた透過型スクリーンに表示させ、前記透明板近傍に存在する通信端末と前記通信装置との無線通信により、前記通信装置の記憶領域に記憶されている前記配信情報を前記通信端末へ送信することを要件とする。
【発明の効果】
【００１２】
この情報提供方法および情報提供システムによれば、多様化したニーズに応じた効果的な情報提供を低負担で実現することができるという効果を奏する。
【発明を実施するための最良の形態】
【００１３】
以下に添付図面を参照して、この情報提供方法および情報提供システムの好適な実施の形態を詳細に説明する。本実施の形態では、透明板（たとえば、ガラス）を境界としてその内側のスペース（たとえば、施設内）と外側のスペース（たとえば、施設外）との間で、情報提供をおこなう。情報提供の際には、関連情報を透明板に一時的に映し出す。このように、透明板が利用者と施設との情報提供の橋渡し的な役割を担う。
【００１４】
＜実施の形態１＞
まず、実施の形態１について説明する。実施の形態１は、施設の壁面である透明板（ここでは、ガラス）の表面に映し出される情報（以下、表示情報）に関連する情報（以下、配信情報）を、利用者の通信端末に送信して、その通信端末の表示画面に配信情報を表示させる例である。
【００１５】
（情報提供の概要）
図１は、実施の形態１における店舗が並ぶ通りを示す説明図である。図１では、道路に面して店舗１００や停留所が並んでいる。店舗１００にはショーウィンドウとなるガラス１０１を用いた外壁面が設置されている。この外壁面からは、店舗１００の外から店舗１００内の様子や広告、陳列された商品などが見える。ガラス１０１の背面には透過型スクリーン１０２が設けられており、店舗１００側が提供したい表示情報が映し出されている。なお、実施の形態１では店舗１００を例に挙げて説明するが、店舗１００に限らず、ガラス１０１を壁面とする何らかの施設（ビル、住宅、交通機関）であればよい。
【００１６】
情報提供をする場合、（Ａ）利用者１０３が透過型スクリーン１０２に映し出された表示情報をガラス１０１越しに見ており、この内容に関連する情報が知りたい場合は、（Ｂ）利用者１０３は通信端末１０４を店舗１００に向けて通信し（通信先は後述する）、透過型スクリーン１０２に映し出された表示情報に関連する配信情報を受信する。（Ｃ）通信端末１０４の表示画面１０５には、受信された配信情報が表示される。これにより、利用者１０３は、透過型スクリーン１０２に映し出された表示情報のほか、通信端末１０４に表示されている配信情報を閲覧することができる。
【００１７】
図２−１〜図２−４は、実施の形態１における情報提供の動作手順の概要を示す説明図である。まず、図２−１において、店舗１００の店員が店舗１００のコンピュータ２００にリーダ／ライタ２０１を接続し、提供したい配信情報をリーダ／ライタ２０１にダウンロードする。図２−２において、店員は、リーダ／ライタ２０１をコンピュータ２００から外し、ガラス１０１を保持するフレーム１０６に埋め込まれているＲＦＩＤタグ２０２と非接触通信をし、コンピュータ２００からダウンロードした配信情報をＲＦＩＤタグ２０２に書き込む。
【００１８】
このように、ＲＦＩＤタグ２０２をガラス１０１に貼り付けず、フレーム１０６などのガラス１０１の周辺部材に埋め込むことで、ＲＦＩＤタグ２０２を隠蔽することができる。したがって、ショーウィンドウの景観を損ねることなく、非接触通信をおこなうことができる。
【００１９】
また、フレーム１０６などの周辺部材に埋め込むだけでよいため、大掛かりな改修工事が不要となり、設置作業の低廉化を図ることができる。また、ＲＦＩＤタグ２０２を書き換え可能な電源が内蔵されているアクティブタグや非接触ICチップ化とすることで、長寿命化を図ることができ、ＲＦＩＤタグ２０２の取替え作業の低減化を図ることができる。
【００２０】
図２−３において、透過型スクリーン１０２には投射装置２０３からＲＦＩＤタグ２０２に書き込まれた配信情報に関連する表示情報が投射されて、ガラス１０１の表面側から見ることができる。利用者１０３はこの表示情報を見て興味を示し、自身の通信端末１０４によりフレーム１０６内のＲＦＩＤタグ２０２と近距離非接触通信をおこなう。この近距離非接触通信により、配信情報やWebアドレスがリーダーライタ機能を有した通信端末１０４にダウンロードされる。このとき、２０２側にリーダーライタ機能を有し、通信端末１０４にＲＦＩＤタグ構成をとることも出来る。
【００２１】
図２−４において、（Ａ）は透過型スクリーン１０２であり、（Ｂ）は、通信端末１０４の表示画面１０５である。透過型スクリーン１０２には表示情報が表示されており、通信端末１０４の表示画面１０５には表示情報に関連する配信情報が表示されている。なお、配信情報の内容についてはどのような情報でもよい。たとえば、表示情報が人気アーティストの最新アルバムのジャケットである場合、配信情報はその詳細情報（たとえば、アーティスト名、アルバム名、収録曲など）としてもよい。また、販売促進のため、販売価格の割引や特典付き、ポイント還元率増加などのクーポン情報としてもよい。
【００２２】
（情報提供システムのハードウェア構成）
図３は、実施の形態１にかかる情報提供システムおよび通信端末１０４のハードウェア構成を示すブロック図である。情報提供システム３００は、コンピュータ２００と、投射装置２０３と、リーダ／ライタ２０１と、ＲＦＩＤタグ２０２と、を含む構成である。
【００２３】
コンピュータ２００は、店舗１００内に設けられ、ＣＰＵ（Ｃｅｎｔｒａｌ  Ｐｒｏｃｅｓｓｉｎｇ  Ｕｎｉｔ）３０１と記憶装置３０２とＩ／Ｆ３０３（インターフェース）と入力装置３０４と表示装置３０６とがバス３０５に接続されて構成されている。ＣＰＵはコンピュータ２００の全体の制御を司る。記憶装置３０２は、ＲＯＭ（Ｒｅａｄ‐Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクおよび磁気ディスクドライブなどにより構成されており、各種プログラムやコンテンツを記憶する。また、ＣＰＵ３０１のワークエリアとしても使用される。Ｉ／Ｆ３０３は、外部装置とのデータの入出力を制御する。入力装置３０４は、キーボードやマウス、タッチパネルなどオペレータの操作により情報を操作入力するデバイスである。表示装置３０６は、各種情報を表示する。
【００２４】
ＲＦＩＤタグ２０２は、フレーム１０６内に設けられている。ＲＦＩＤタグ２０２は、制御回路３２１、メモリ３２２、通信Ｉ／Ｆ３２３、電源３２４、アンテナ３２５を有する。制御回路３２１は、ＲＦＩＤタグ２０２の全体の制御を司る。メモリ３２２は、リーダ／ライタ２０１により書き込まれた配信情報を記憶する。通信Ｉ／Ｆ３２３は、リーダ／ライタ２０１や通信端末１０４との非接触通信をアンテナ３２５を介しておこなう。電源３２４は、制御回路３２１、メモリ３２２、および通信Ｉ／Ｆ３２３に電力を供給する。
【００２５】
通信端末１０４は、利用者１０３が所持する携帯電話機、スマートフォン、ＰＨＳ（Ｐｅｒｓｏｎａｌ  Ｈａｎｄｙｐｈｏｎｅ  Ｓｙｓｔｅｍ）、携帯型ゲーム機、などの携帯端末である。また、利用者１０３とは、店舗１００の会員であるとかその店舗１００での購入履歴があるか否かを問わず、本実施の形態１の情報提供システムを利用する者をさす。
【００２６】
通信端末１０４は、ＣＰＵ３４１と記憶装置３４２とスピーカ３４３と通信Ｉ／Ｆ３４４と入力装置３４５と表示装置３４６がバス３４０に接続されて構成されている。ＣＰＵ３４１は通信端末１０４の全体の制御を司る。記憶装置３４２は、ＲＯＭ、ＲＡＭ、磁気ディスクおよび磁気ディスクドライブなどにより構成されており、各種プログラムやコンテンツを記憶する。また、ＣＰＵ３４１のワークエリアとしても使用される。スピーカ３４３は、楽曲データや効果音、着信音などの音声出力をおこなう。通信Ｉ／Ｆ３４４は、無線通信網やＲＦＩＤタグ２０２との非接触通信をおこなう。入力装置３４５は、テンキーやボタン、タッチパネルなどにより構成される。表示装置３４６は、表示画面１０５を有し、記憶装置３４２に記憶されている情報を表示する。
【００２７】
（コンテンツ情報のデータ構造）
図４は、コンピュータ２００の記憶装置３０２に記憶されているコンテンツ情報のデータ構造の一例を示す説明図である。コンテンツ情報は、コンテンツＩＤ、コンテンツ（実データ）、詳細情報、配信情報、表示情報、投射対象フラグといった構造をとっている。コンテンツＩＤは、コンテンツを一意に特定する識別情報である。コンテンツは、楽曲データ、映像データ、商品データなど提供側の商品やサービスに応じたデータである。詳細情報とは、コンテンツの具体的な情報であり、たとえば、コンテンツ名、コンテンツの作者、曲名、ジャンル、リリース日、価格、商品画像、その他バイオグラフィなどがある。
【００２８】
配信情報とは、ＲＦＩＤタグ２０２から利用者１０３の通信端末１０４に配信させる情報である。配信情報は、それ専用に加工された情報でもよく、詳細情報の中から選ばれた情報でもよい。また、表示情報とは、透過型スクリーン１０２に映し出す情報である。表示情報もそれ専用に加工された情報でもよく、詳細情報の中から選ばれた情報でもよい。
【００２９】
投射対象フラグとは、そのコンテンツの表示情報を投射装置２０３に投射させるか否かを識別するフラグである。ＯＮの場合、投射対象となり、ＯＦＦの場合、非投射対象である。投射対象フラグはデフォルトではＯＦＦとなっており、リーダ／ライタ２０１により配信情報が読み出されるとＯＮになる。一方、その後あらたにリーダ／ライタ２０１の接続が検出されると、リセットされてＯＦＦとなる。
【００３０】
（情報提供システムの機能的構成）
図５は、実施の形態１にかかる情報提供システムの機能的構成を示すブロック図である。図５において、情報提供システム３００は、第１の記憶部５０１と読出部５０２と書込部５０３と第２の記憶部５０６と設定部５０４と投射制御部５０５と送信部５０７とを備える。第１の記憶部５０１、設定部５０４、および投射制御部５０５は、コンピュータ２００が備える機能であり、読出部５０２および書込部５０３はリーダ／ライタ２０１が備える機能であり、第２の記憶部５０６および送信部５０７はＲＦＩＤタグ２０２が備える機能である。
【００３１】
第１の記憶部５０１は、コンテンツ情報を記憶する機能を有する。具体的には、たとえば、図４に示したデータ構造のコンテンツ情報を記憶する。第１の記憶部５０１は、図３に示した記憶装置３０２により実現される。
【００３２】
読出部５０２は、コンピュータ２００に記憶されているコンテンツに関する配信情報を読み出す機能を有する。具体的には、たとえば、リーダ／ライタ２０１がコンピュータ２００に接続されている状態で、コンピュータ２００から指定されたコンテンツに関する配信情報を読み出し、リーダ／ライタ２０１内のメモリに格納される。
【００３３】
書込部５０３は、読出部５０２によって読み出された配信情報を、リーダ／ライタ２０１から透明板の周辺部材に埋め込まれたＲＦＩＤタグ２０２に非接触通信で書き込む機能を有する。具体的には、たとえば、店員がリーダ／ライタ２０１を携行して、ＲＦＩＤタグ２０２との通信エリアに入ることで、ＲＦＩＤタグ２０２との非接触通信をおこなう。リーダ／ライタ２０１では、書込みモードを指定することで、通信先となるＲＦＩＤタグ２０２内のメモリ３２２に配信情報を送信することで、第２の記憶部（ＲＦＩＤタグ２０２内のメモリ３２２）５０６に書き込む。
【００３４】
設定部５０４は、読出部５０２によって配信情報が読み出されたコンテンツに関する表示情報を投射対象に設定する機能を有する。具体的には、たとえば、リーダ／ライタ２０１により配信情報が読み出されたコンテンツのコンテンツＩＤを特定し、そのコンテンツの投射対象フラグをＯＮにする。設定部５０４は、具体的には、たとえば、図３に示した記憶装置３０２に記憶されたプログラムをＣＰＵ３０１に実行させることによりその機能を実現する。
【００３５】
投射制御部５０５は、コンピュータ２００に接続された投射装置２０３を制御することにより、設定部５０４によって設定された投射対象を、透明板の背面に設けられた透過型スクリーン１０２に投射する機能を有する。具体的には、たとえば、投射対象フラグがＯＮになっているコンテンツの表示情報を読み出し、投射装置２０３に出力する。投射制御部５０５は、具体的には、たとえば、図３に示した記憶装置３０２に記憶されたプログラムをＣＰＵ３０１に実行させることによりその機能を実現する。
【００３６】
投射装置２０３では、出力されてきた表示情報を内部のメモリに書き込み、透過型スクリーン１０２に投射する。なお、投射対象がない場合は、何も投射しない。この場合、投射装置２０３自体を電源ＯＦＦにしてもよく、また、スリープ状態にしてもよい。また、電源ＯＮにしたまま、投影レンズを塞ぐこととしてもよい。このようにすることで、投射していないときは、透過型スクリーン１０２には何も映し出されなくなるため、通常通り、店舗１００内の様子や陳列された商品などが外から見えることとなる。
【００３７】
送信部５０７は、透明板の表面側に存在する通信端末１０４とＲＦＩＤタグ２０２との近距離非接触通信により、ＲＦＩＤタグ２０２から通信端末１０４に配信情報を送信する機能を有する。具体的には、たとえば、通信端末１０４がＲＦＩＤタグ２０２の通信エリアに侵入した場合、第２の記憶部５０６に書き込まれた配信情報を通信端末１０４に送信する。
【００３８】
（情報提供処理手順）
図６および図７は、実施の形態１にかかる情報提供システムにおけるコンピュータ２００の処理手順を示すフローチャートである。まず、リーダ／ライタ２０１の接続が検出されるのを待ち受け（ステップＳ６０１：Ｎｏ）、リーダ／ライタ２０１の接続が検出された場合（ステップＳ６０１：Ｙｅｓ）、全コンテンツの投射対象フラグをリセットする（ステップＳ６０２）。
【００３９】
つぎに、入力装置３０４からコンテンツが指定されるのを待ち受け（ステップＳ６０３：Ｎｏ）、コンテンツが指定された場合（ステップＳ６０３：Ｙｅｓ）、指定コンテンツの配信情報を記憶装置３０２から読み出し、リーダ／ライタ２０１に転送する（ステップＳ６０４）。このあと、指定コンテンツの表示情報を投射対象に設定する（ステップＳ６０５）。すなわち、その投射対象フラグをＯＮにする。
【００４０】
つぎに、図７において、投射装置２０３の接続が検出されるのを待ち受け（ステップＳ７０１：Ｎｏ）、投射装置２０３の接続が検出された場合（ステップＳ７０１：Ｙｅｓ）、投射対象が指定されたか否かを判断する（ステップＳ７０２）。指定されない場合（ステップＳ７０２：Ｎｏ）、ステップＳ７０１に戻る。一方、指定された場合（ステップＳ７０２：Ｙｅｓ）、その指定された投射対象を投射装置２０３に出力する（ステップＳ７０３）。これにより、投射装置２０３から透過型スクリーン１０２に投射対象の表示情報が投射され、ガラス１０１の表面側から見ることができる。
【００４１】
このように、実施の形態１では、ＲＦＩＤタグ２０２をガラス１０１のフレーム１０６に埋め込んだため、ガラス１０１を境界にして施設（店舗１００）内と施設（店舗１００）外との通信の橋渡しを、低コストで実現することができる。
【００４２】
特に、ガラス１０１ではなくフレーム１０６などの周辺部材にＲＦＩＤタグ２０２を埋め込んでおくことで、透過型スクリーン１０２に映し出される表示情報やショーウィンドウの邪魔にならないため、見栄えのよい情報提供をおこなうことができる。
【００４３】
また、透過型スクリーン１０２に映し出された表示情報により利用者１０３を引き付け、利用者１０３がより詳しい情報を知りたい場合には、ＲＦＩＤタグ２０２を介して詳細な情報を利用者１０３の通信端末１０４で取得することができる。したがって、ポスターや陳列など従来の方式よりも詳細な情報を提供することができ、一歩踏み込んだ販売促進をおこなうことができる。すなわち、この情報提供を契機として、店舗１００内への入場ひいては商品購入やサービス提供を効果的におこなうことができる。
【００４４】
また、通信端末１０４からのアクセスがない場合は、透過型スクリーン１０２には何も映し出されないため、店舗１００の外から通常通り店舗１００内を見せることができる。また、透過型スクリーン１０２に表示情報を映し出したり映し出さなかったりすることで、店舗１００の景観に変化をもたらし、固定された景観との差別化を図ることができ、個性的な町並みを簡単な構成で実現することができる。
【００４５】
また、店舗１００の閉店後に来店した場合であっても、透過型スクリーン１０２に表示情報を映し出しておくことにより、利用者１０３は配信情報を入手することができるため、来店した行為が無駄にならず、次回来店時の商品購入やサービス提供の契機とすることができる。さらに、閉店後は店舗１００内の照明をＯＦＦにし、透過型スクリーン１０２に表示情報を映し出しておくことにより、必要最低限の電力で情報提供を行えるとともに、防犯機能としても利用することができる。
【００４６】
＜実施の形態２＞
つぎに、実施の形態２について説明する。実施の形態１では、施設と施設外の利用者１０３の通信端末１０４との橋渡しとなるフレーム１０６内のＲＦＩＤタグ２０２を介して、施設内から施設の通信端末１０４に配信情報をダウンロードする仕組みについて説明した。これに対し、実施の形態２では、ある施設（たとえば、店舗１００）と施設外の利用者１０３の通信端末１０４との橋渡しとなるフレーム１０６内の通信装置を介して、利用者１０３の通信端末１０４から施設内のコンピュータ２００に情報をアップロードする仕組みについて説明する。
【００４７】
また、アップロードされる情報は利用者１０３個人の趣味趣向に応じた情報などどのような情報でもよいが、ここでは、あらかじめ承認機関により承認された情報（たとえば、承認コードが埋め込まれた情報）をアップロードする仕組みとする。なお、実施の形態２において、実施の形態１で示した構成と同一構成については同一符号を付し、その説明を省略する。
【００４８】
図８は、実施の形態２における店舗１００が並ぶ通りを示す説明図である。情報提供をする場合、（Ａ）利用者１０３が透過型スクリーン１０２に情報を表示させたい場合には、（Ｂ）利用者１０３は通信端末１０４から表示させたい情報を選択して、（Ｃ）店舗１００に向けてアップロードする（アップロード先は後述する）。すると、透過型スクリーン１０２には、アップロードされた情報が映し出される。
【００４９】
図９−１〜図９−３は、実施の形態２における情報提供の動作手順の概要を示す説明図である。まず、図９−１において、利用者１０３がフレーム１０６内に埋め込まれている通信装置９００により通信装置９００近傍に位置していることを検出する。この検出は、たとえば、通信装置９００に内蔵されている超音波センサによりおこなう。
【００５０】
図９−２において、通信装置９００と利用者１０３の通信端末１０４とのＢｌｕｅｔｏｏｔｈ（登録商標）などの近距離非接触通信により、利用者１０３の通信端末１０４から通信装置９００に情報をアップロードする。図９−３において、アップロードされた情報（以下、アップロード情報）が投射装置２０３から透過型スクリーン１０２に投射される。これにより、利用者１０３の通信端末１０４に記憶されている情報が、透過型スクリーン１０２に投射されて、ガラス１０１越しに表示されることとなる。
【００５１】
このように、通信装置９００をガラス１０１に貼り付けず、フレーム１０６などのガラス１０１の周辺部材に埋め込むことで、通信装置９００を隠蔽することができる。したがって、ショーウィンドウの景観を損ねることなく、近距離非接触通信をおこなうことができる。また、フレーム１０６などの周辺部材に埋め込むだけでよいため、大掛かりな改修工事が不要となり、設置作業の低廉化を図ることができる。
【００５２】
（情報提供システムおよび通信端末１０４のハードウェア構成）
図１０は、実施の形態２にかかる情報提供システム１０００および通信端末１０４のハードウェア構成を示すブロック図である。情報提供システム１０００は、コンピュータ２００と、投射装置２０３と、通信装置９００と、を含む構成である。
【００５３】
通信装置９００は、フレーム１０６内に設けられている。通信装置９００は、制御回路１００１、メモリ１００２、通信Ｉ／Ｆ１００３、人体検出センサ１００４を有する。制御回路は、通信装置９００の全体を司る。メモリは、通信端末１０４により書き込まれた情報を記憶する。通信Ｉ／Ｆは、通信端末１０４との非接触通信やコンピュータ２００との通信をおこなう。人体検出センサ１００４は、店舗１００外において通信装置９００近傍に位置する人体を検出する。たとえば、超音波センサが用いられる。
【００５４】
（アップロード情報のデータ構造）
図１１は、アップロード情報のデータ構造を示す説明図である。アップロード情報は、ＩＤ、実データ、承認コード、投射対象フラグ、アップロード時刻、有効期間といった構造をとっている。ＩＤは、アップロード情報を一意に特定する識別情報である。承認コードとは、あらかじめ承認機関において実データが承認されたか否かを識別するコードである。この承認コードがない場合、または異なる場合、実データは投射対象に設定不能となる。すなわち、表示したい場合は事前に承認を得た情報でなければならないため、たとえば、公序良俗に反するような情報の表示を未然に防止することができる。
【００５５】
また、アップロード時刻とは、アップロード情報がアップロードされた時刻、たとえば、記憶部に書き込まれた時刻（タイムスタンプ）である。有効期間は、承認機関によって設定されたアップロード情報が表示可能な期間である。アップロード時刻を有効期間の起算日として有効期限が設定される。有効期限が経過すると投射が停止されることとなる。
【００５６】
（情報提供システム１０００の機能的構成）
図１２は、実施の形態２にかかる情報提供システム１０００の機能的構成を示すブロック図である。図１２において、情報提供システム１０００は、記憶部１２０１と設定部１２０２と投射制御部１２０３と転送部１２０４と検出部１２０５とを備える。記憶部１２０１、設定部１２０２および投射制御部１２０３は、コンピュータ２００が備える機能であり、転送部１２０４および検出部１２０５は通信装置９００が備える機能である。
【００５７】
記憶部１２０１は、図１１に示したデータ構造のアップロード情報を記憶する機能を有する。記憶部１２０１は、図１０に示した記憶装置３０２により実現される。
【００５８】
設定部１２０２は、アップロード情報を投射対象に設定する機能を有する。具体的には、たとえば、アップロード情報の投射対象フラグをＯＮにする。設定部１２０２は、具体的には、たとえば、図１０に示した記憶装置３０２に記憶されたプログラムをＣＰＵ３０１に実行させることによりその機能を実現する。
【００５９】
また、設定部１２０２は、承認コードがあるか否か、または、承認コードが特定のコードと一致するか否かにより判断する。承認コードがあったり、または、特定のコードと一致する場合、設定部１２０２は、アップロード情報（厳密にはその中の実データ）を投射対象に設定することとしてもよい。これにより、事前に承認された情報のみ投射することができる。
【００６０】
投射制御部１２０３は、コンピュータ２００に接続された投射装置２０３を制御することにより、設定部１２０２によって設定された投射対象を、透明板の背面に設けられた透過型スクリーン１０２に投射する機能を有する。具体的には、たとえば、投射対象フラグがＯＮになっているアップロード情報を投射装置２０３に出力する。
【００６１】
また、投射制御部１２０３は、投射対象の投射が有効期限を経過した場合、投射を停止する。具体的には、たとえば、投射装置２０３内のメモリに書き込まれたアップロード情報を消去する。また、投射装置２０３自体を電源ＯＦＦにしてもよく、また、スリープ状態にしてもよい。さらに、電源ＯＮにしたまま、投影レンズを塞ぐこととしてもよい。投射制御部１２０３は、具体的には、たとえば、図１０に示した記憶装置３０２に記憶されたプログラムをＣＰＵ３０１に実行させることによりその機能を実現する。
【００６２】
転送部１２０４は、通信端末１０４から送信されてくるアップロード情報をコンピュータ２００の記憶部１２０１に転送する機能を有する。具体的には、通信装置９００の通信Ｉ／Ｆ１００３と通信端末１０４の通信Ｉ／Ｆ３４４とのＢｌｕｅｔｏｏｔｈ（登録商標）などの近距離非接触通信により、アップロード情報をメモリ１００２に書き込み、書き込まれたアップロード情報を記憶部１２０１に送信する。転送部１２０４は、具体的には、たとえば、図１０に示した通信Ｉ／Ｆ１００３によりその機能を実現する。
【００６３】
検出部１２０５は、施設（店舗１００）の外側の人体を検出する機能を有する。検出部１２０５は、通信装置９００と通信端末１０４との近距離非接触通信の通信エリアよりも狭いエリアを検出範囲とする。したがって、検出部１２０５によって検出された利用者１０３の通信端末１０４のみが通信装置９００との通信が可能となる。この検出部１２０５は、具体的には、たとえば、図１０に示した人体検出センサ（たとえば、超音波センサ）１００４によりその機能を実現する。なお、情報提供システム１０００上、検出部１２０５の機能は選択的に用いればよい。
【００６４】
（情報提供処理手順）
図１３および図１４は、実施の形態２にかかる情報提供処理手順を示すフローチャートである。図１３は、通信装置９００の処理手順を示しており、図１４は、コンピュータ２００の処理手順を示している。
【００６５】
図１３において、人体検出センサ１００４により人体が検出されるのを待ち受け（ステップＳ１３０１：Ｎｏ）、検出された場合（ステップＳ１３０１：Ｙｅｓ）、通信端末１０４から情報の受信を待ち受ける（ステップＳ１３０２：Ｎｏ）。情報が受信された場合（ステップＳ１３０２：Ｙｅｓ）、アップロード情報としてコンピュータ２００に転送する（ステップＳ１３０３）。
【００６６】
つぎに、図１４において、アップロード情報の受信を待ち受け（ステップＳ１４０１：Ｎｏ）、アップロード情報が受信された場合（ステップＳ１４０１：Ｙｅｓ）、記憶装置３０２にアップロード情報を保存する（ステップＳ１４０２）。このときタイムスタンプも書き込む。そして、アップロード情報の承認コードを参照して、投射可能か否かを判断する（ステップＳ１４０３）。投射可能でない場合（ステップＳ１４０３：Ｎｏ）、一連の処理を終了する。
【００６７】
一方、投射可能である場合（ステップＳ１４０３：Ｙｅｓ）、アップロード情報を投射対象に設定する（ステップＳ１４０４）。そして、投射対象を投射装置２０３に出力する（ステップＳ１４０５）。これにより、投射装置２０３から透過型スクリーン１０２にアップロード情報が投射されるため、利用者１０３の通信端末１０４からの情報がガラス１０１越しに映し出されることとなる。また、アップロード情報の有効期限が経過するのを待ち受け（ステップＳ１４０６：Ｎｏ）、経過した場合（ステップＳ１４０６：Ｙｅｓ）、投射停止処理を実行する（ステップＳ１４０７）。これにより、投射装置２０３から透過型スクリーン１０２へ投射されなくなり、アップロード情報が映し出されなくなる。これにより、一連の処理を終了する。
【００６８】
このように、実施の形態２では、通信装置９００をガラス１０１のフレーム１０６に埋め込んだため、ガラス１０１を境界にして施設（店舗１００）内と施設（店舗１００）外との通信の橋渡しを、低コストで実現することができる。
【００６９】
特に、ガラス１０１ではなくフレーム１０６などの周辺部材に通信装置９００を埋め込んでおくことで、透過型スクリーン１０２に映し出される表示情報やショーウィンドウの邪魔にならないため、見栄えのよい情報提供をおこなうことができる。
【００７０】
また、通信端末１０４からのアクセスがない場合は、透過型スクリーン１０２には何も映し出されないため、店舗１００の外から通常通り店舗１００内を見せることができる。また、透過型スクリーン１０２にアップロード情報を映し出したり映し出さなかったりすることで、店舗１００の景観に変化をもたらし、固定された景観との差別化を図ることができ、個性的な町並みを簡単な構成で実現することができる。
【００７１】
さらに、閉店後は店舗１００内の照明をＯＦＦにし、透過型スクリーン１０２にアップロード情報を映し出しておくことにより、必要最低限の電力で情報提供を行えるとともに、防犯機能としても利用することができる。
【００７２】
また、利用者１０３が撮影したり作成したり取得した画像をアップロードして表示させることができるため、様々な情報をポスターのように表示させることができる。したがって、ポスターのように悪天候時に汚れたり剥がれたりすることはなく、効果的に宣伝することができる。また、ポスターのように貼付作業が不要であり、通信端末１０４を操作するだけでアップロードが完了するため、作業効率の向上を図ることができる。
【００７３】
さらに、アップロード情報については事前に承認させておき、承認コードを埋め込んでおくことにより、施設側によってメリットのある情報や害のない情報に絞り込んで表示させることができる。
【００７４】
＜実施の形態３＞
つぎに、実施の形態３について説明する。実施の形態３は、実施の形態２と同様、利用者１０３の通信端末１０４からアップロードする仕組みであるが、実施の形態２のようにアップロード情報を投射装置２０３により投射するのではなく、アップロードされた情報に関連する情報を施設（店舗１００）内のコンピュータ２００が検索し、検索結果を投射する仕組みである。なお、実施の形態１および実施の形態２と同一構成には同一符号を付し、その説明を省略する。
【００７５】
（情報提供システムおよび通信端末１０４のハードウェア構成）
図１５は、実施の形態３にかかる情報提供システム１５００および通信端末１０４のハードウェア構成を示すブロック図である。図１０と異なる点は、通信端末１０４に３軸加速度センサが設けられている点である。３軸加速度センサ３４７は、通信端末１０４の傾斜方向や速さ、加速度といった挙動を検出できるデバイスである。実施の形態３では、この３軸加速度センサ３４７から得られた挙動情報に応じて透過型スクリーン１０２に映しだされている情報をスクロールさせる。たとえば、通信端末１０４を右に振ると、右方向にスクロールし、下に振ると下方向にスクロールする。
【００７６】
また、通信端末１０４は、通信装置９００に対して、検索条件となる属性情報を送信する。属性情報とは、後述する利用者情報やコンテンツの名称やジャンルなど、検索条件となりうる性質の情報である。さらに、上述した挙動情報も送信する。送信された属性情報および挙動情報は通信装置９００を介してコンピュータ２００に送られる。
【００７７】
（コンテンツ情報および利用者情報のデータ構造）
図１６は、コンテンツ情報のデータ構造の一例を示す説明図である。コンテンツ情報は、コンピュータ２００の記憶装置３０２に格納されている。コンテンツ情報は、コンテンツＩＤ、コンテンツ（実データ）、詳細情報、投射対象フラグといった構造をとっている。コンテンツＩＤは、コンテンツを一意に特定する識別情報である。コンテンツは、楽曲データ、映像データ、商品データなど提供側の商品やサービスに応じたデータである。詳細情報とは、コンテンツの具体的な情報であり、たとえば、コンテンツ名、コンテンツの作者、曲名、ジャンル、リリース日、価格、商品画像、その他バイオグラフィなどがある。
【００７８】
投射対象フラグとは、そのコンテンツの表示情報を投射装置２０３に投射させるか否かを識別するフラグである。ＯＮの場合、投射対象となり、ＯＦＦの場合、非投射対象である。投射対象フラグはデフォルトではＯＦＦとなっている。
【００７９】
図１７は、利用者情報のデータ構造の一例を示す説明図である。利用者情報は、利用者ＩＤと、利用者名、所在情報、購入履歴といった構造をとっている。利用者ＩＤは、利用者１０３を一意に特定する識別情報である。利用者名とは利用者１０３の氏名である。所在情報とは、利用者１０３の住所や電話番号、メールアドレスといった情報である。購入履歴とは、利用者１０３の過去の購入したログであり、たとえば、購入年月日、コンテンツ名、作者、ジャンルなどのデータ構造をとっている。コンテンツや利用者情報は検索に利用される情報である。
【００８０】
（情報提供システム１５００の機能的構成）
図１８は、実施の形態３にかかる情報提供システム１５００の機能的構成を示すブロック図である。図１８において、情報提供システム１５００は、記憶部１８０１と検索部１８０２と設定部１８０３と投射制御部１８０４と転送部１８０５と検出部１８０６とを備える。記憶部１８０１、検索部１８０２、設定部１８０３および投射制御部１８０４は、コンピュータ２００が備える機能であり、転送部１８０５および検出部１８０６は通信装置９００が備える機能である。
【００８１】
記憶部１８０１は、図１６や図１７に示したデータ構造のコンテンツや利用者情報を記憶する機能を有する。記憶部１８０１は、図１５に示した記憶装置３０２により実現される。
【００８２】
検索部１８０２は、コンピュータ２００のデータベースの中から、属性情報に応じた情報を検索する機能を有する。具体的には、たとえば、記憶装置３０２に記憶されたコンテンツ情報や利用者情報のうち属性情報に関連する情報を検索する。たとえば、属性情報が利用者ＩＤであれば、その利用者情報が検索され、属性情報がアーティスト名であれば、そのアーティストが作者となっているコンテンツ情報が検索される。以降、検索された情報を検索情報と称す。検索部１８０２は、具体的には、たとえば、図１５に示した記憶装置３０２に記憶されたプログラムをＣＰＵ３０１に実行させることによりその機能を実現する。
【００８３】
設定部１８０３は、検索情報を投射対象に設定する機能を有する。具体的には、たとえば、投射対象フラグをＯＮにする。なお、人体検出センサ１００４により人体が検出されなくなると投射対象フラグはＯＦＦになる。設定部１８０３は、具体的には、たとえば、図１５に示した記憶装置３０２に記憶されたプログラムをＣＰＵ３０１に実行させることによりその機能を実現する。
【００８４】
投射制御部１８０４は、コンピュータ２００に接続された投射装置２０３を制御することにより、投射対象を、透明板の背面に設けられた透過型スクリーン１０２に投射する機能を有する。投射対象となった検索情報は、所定のアルゴリズムにより編集・加工することでリスト化される。また、コンテンツ情報に表示情報が予め設定されている場合は、その表示情報が投射装置２０３に出力される。
【００８５】
また、挙動情報が得られた場合には、その挙動情報に応じて投射装置２０３を制御する。たとえば、通信端末１０４を右に振ったときに検出された挙動情報が送られてきた場合、投射範囲を右にスクロールする。このように利用者１０３が通信端末１０４を上下左右に振ったときの挙動情報に応じて投射範囲を制御する。投射制御部１８０４は、具体的には、たとえば、図１５に示した記憶装置３０２に記憶されたプログラムをＣＰＵ３０１に実行させることによりその機能を実現する。
【００８６】
また、転送部１８０５は、通信端末１０４から送信されてくる属性情報や挙動情報をコンピュータ２００に転送する機能を有する。具体的には、通信装置９００の通信Ｉ／Ｆ１００３と通信端末１０４の通信Ｉ／Ｆ３４４とのＢｌｕｅｔｏｏｔｈ（登録商標）などの近距離非接触通信により、属性情報や挙動情報をメモリに書き込み、書き込まれた属性情報を検索部１８０２に、挙動情報を投射制御部１８０４に送信する。転送部１８０５は、具体的には、たとえば、図１５に示した通信Ｉ／Ｆ１００３によりその機能を実現する。
【００８７】
検出部１８０６は、施設（店舗１００）の外側の人体を検出する機能を有する。検出部１８０６は、通信装置９００と通信端末１０４との近距離非接触通信の通信エリアよりも狭いエリアを検出範囲とする。したがって、検出部１８０６によって検出された利用者１０３の通信端末１０４のみが通信装置９００との通信が可能となる。検出情報は、転送部１８０５および設定部１８０３に送られる。転送部１８０５は、検出部１８０６により人体が検出された場合に属性情報や挙動情報を転送する。
【００８８】
また、検出情報は、設定部１８０３にも送られる。設定部１８０３では、検出情報の内容に応じて投射対象フラグを設定変更する。具体的には、投射対象フラグがＯＦＦの場合、人体検出の検出情報が送られてくると、検索情報の投射対象フラグをＯＮにし、その後、人体非検出の検出情報が送られてくると、ＯＮにされた投射対象フラグをＯＦＦに戻す。
【００８９】
このように、ガラス１０１（厳密にはフレーム１０６内の通信装置９００）に接近している場合のみ通信可能とし、利用者１０３が離間すると自動的に投射されなくなり、ショーウィンドウなどの元の状態に復帰する。これにより遠隔操作を防止して、店舗１００に近い利用者１０３に優先的に情報提供することができる。また、人体検出センサ１００４を店舗１００の外に向けておくことで、店舗１００内で検出するといった誤動作を防止することができる。この検出部１８０６は、具体的には、たとえば、図１５に示した人体検出センサ１００４（たとえば、超音波センサ）によりその機能を実現する。
【００９０】
（情報提供処理手順）
図１９は、実施の形態３にかかる情報提供処理手順を示すフローチャートである。図１９は、コンピュータ２００の処理手順を示している。まず、通信装置９００からの属性情報を待ち受け（ステップＳ１９０１：Ｎｏ）、受信された場合（ステップＳ１９０１：Ｙｅｓ）、検索部１８０２により属性情報に基づき検索する（ステップＳ１９０２）。そして、検索情報を投射対象に設定し（ステップＳ１９０３）、投射対象を投射装置２０３に出力する（ステップＳ１９０４）。
【００９１】
このあと、挙動情報が受信されたか否かを判断し（ステップＳ１９０５：Ｎｏ）、受信された場合（ステップＳ１９０５：Ｙｅｓ）、挙動情報に応じて投射装置２０３への出力内容を変更して（ステップＳ１９０６）、ステップＳ１９０５に戻る。一方、挙動情報が受信されていない場合（ステップＳ１９０５：Ｎｏ）、人体検出センサ１００４により人体非検出となったか否かを判断する（ステップＳ１９０７）。非検出でない場合（ステップＳ１９０７：Ｎｏ）、ステップＳ１９０５に戻る。一方、非検出となった場合（ステップＳ１９０７：Ｙｅｓ）、検索情報を非投射対象に設定して（ステップＳ１９０８）、一連の処理を終了する。
【００９２】
このように、実施の形態３では、通信装置９００をガラス１０１のフレーム１０６に埋め込んだため、ガラス１０１を境界にして施設（店舗１００）内と施設（店舗１００）外との通信の橋渡しを、低コストで実現することができる。
【００９３】
特に、ガラス１０１ではなくフレーム１０６などの周辺部材に通信装置９００を埋め込んでおくことで、透過型スクリーン１０２に映し出される情報やショーウィンドウの邪魔にならないため、見栄えのよい情報提供をおこなうことができる。
【００９４】
また、通信端末１０４からのアクセスがない場合は、透過型スクリーン１０２には何も映し出されないため、店舗１００の外から通常通り店舗１００内を見せることができる。また、透過型スクリーン１０２に表示情報を映し出したり映し出さなかったりすることで、店舗１００の景観に変化をもたらし、固定された景観との差別化を図ることができ、個性的な町並みを簡単な構成で実現することができる。
【００９５】
さらに、閉店後は店舗１００内の照明をＯＦＦにし、透過型スクリーン１０２にアップロード情報を映し出しておくことにより、必要最低限の電力で情報提供を行えるとともに、防犯機能としても利用することができる。
【００９６】
また、利用者１０３が撮影したり作成したり取得した画像をアップロードして表示させることができるため、様々な情報をポスターのように表示させることができる。したがって、ポスターのように悪天候時に汚れたり剥がれたりすることはなく、効果的に宣伝することができる。また、ポスターのように貼付作業が不要であり、通信端末１０４を操作するだけでアップロードが完了するため、作業効率の向上を図ることができる。
【００９７】
また、インターネットからは検索や閲覧ができない店舗１００独自のデータベースを用意しておくことで、独自の検索情報を表示させることができる。このような検索情報は、店舗１００に来店しないと得られない情報であるため、利用者１０３に来店してもらう契機となり、来店率の向上を図ることができる。
【００９８】
以上説明したように、本実施の形態１〜３によれば、ＲＦＩＤタグ２０２や通信装置９００といった施設内コンピュータ２００と施設外の通信端末１０４とをつなげる通信手段をガラス１０１のフレーム１０６や庇といった周辺部材に埋め込むことで、多様化したニーズに応じた効果的な情報提供を低負担で実現することができるという効果を奏する。
【００９９】
上述した実施の形態に関し、さらに以下の付記を開示する。
【０１００】
（付記１）情報提供システムが処理する情報提供方法であって、
前記情報提供システムが、
予め記憶されているコンテンツに関する配信情報を、透明板の周辺部材に埋め込まれた通信装置の記憶領域に書き込む書込工程と、
前記書込工程によって前記配信情報が読み出されたコンテンツに関する表示情報を、前記透明板に設けられたスクリーンに表示させる表示工程と、
前記透明板近傍に存在する通信端末と前記通信装置との無線通信により、前記通信装置の記憶領域に記憶されている前記配信情報を前記通信端末へ送信する送信工程と、
を実行することを特徴とする情報提供方法。
【０１０１】
（付記２）情報提供システムが処理する情報提供方法であって、
前記情報提供システムが、
透明板の周辺部材に埋め込まれた通信装置により、前記通信装置近傍の通信端末からの情報を取得する情報取得工程と、
前記取得工程によって取得された情報を、前記透過型スクリーンに表示させる表示工程と、
を実行することを特徴とする情報提供方法。
【０１０２】
（付記３）前記透明板の周辺部材に埋め込まれた人体検出センサにより、前記透明板の表面側にいる前記人体検出センサ近傍の人体を検出する検出工程を含み、
前記情報取得工程は、
前記検出工程によって前記人体が検出された場合、前記通信装置により、前記通信端末からの情報を取得することを特徴とする付記２に記載の情報提供方法。
【０１０３】
（付記４）前記通信端末からの情報に含まれている当該情報の表示の承認に関する承認コードに基づいて、前記通信端末からの情報を表示してよいか否かを判断する判断工程を含み、
前記表示工程は、
前記判断工程によって表示してもよいと判断された場合、前記通信端末からの情報を表示することを特徴とする付記２または３に記載の情報提供方法。
【０１０４】
（付記５）前記通信端末からの情報に含まれている有効期間に基づいて、前記通信端末からの情報を表示を停止する停止工程を含んだことを特徴とする付記２〜４のいずれか一つに記載の情報提供方法。
【０１０５】
（付記６）情報提供システムが処理する情報提供方法であって、
前記情報提供システムが、
透明板の周辺部材に埋め込まれた通信装置により、当該通信装置近傍の通信端末からの属性情報を取得する取得し、データベースへ蓄積する情報取得工程と、
前記データベースから、前記情報取得工程によって取得された属性情報に応じた情報を検索する検索工程と、
前記検索工程によって検索された情報を、前記透明板に設けられた透過型スクリーンに投射する投射工程と、
を実行することを特徴とする情報提供方法。
【０１０６】
（付記７）透明板の周辺部材に埋め込まれた人体検出センサにより、前記人体検出センサ近傍の人体を検出する検出工程を含み、
前記情報取得工程は、
前記検出工程によって前記人体が検出された場合、前記通信装置により、前記通信端末からの属性情報を取得することを特徴とする付記６に記載の情報提供方法。
【０１０７】
（付記８）前記通信端末に内蔵されている加速度センサから得られた前記通信端末の挙動情報に基づいて、前記検索工程によって検索された情報を、前記透明板の背面に設けられた透過型スクリーンに投射する第２の投射工程と、
を含んだことを特徴とする付記６または７に記載の情報提供方法。
【０１０８】
（付記９）前記投射工程は、前記人体検出センサにより前記人体が検出されなくなった場合、前記検索工程によって検索された情報を投射しないことを特徴とする付記７に記載の情報提供方法。
【０１０９】
（付記１０）前記周辺部材は、前記透明板のフレームであることを特徴とする付記１〜９のいずれか一つに記載の情報提供方法。
【０１１０】
（付記１１）前記透明板は、施設の壁面を構成することを特徴とする付記１〜１０のいずれか一つに記載の情報提供方法。
【０１１１】
（付記１２）前記壁面は、前記施設の外壁面であることを特徴とする付記１１に記載の情報提供方法。
【０１１２】
（付記１３）予め記憶されているコンテンツに関する配信情報を読み出す読出手段と、
前記読出手段によって読み出された配信情報を透明板の周辺部材に埋め込まれた通信手段の記憶領域に書き込む書込手段と、
前記読出手段によって前記配信情報が読み出されたコンテンツに関する表示情報を、透明板に設けられた透過型スクリーンに表示させる表示制御手段と、
前記通信手段と前記透明板の近傍に存在する通信端末との非接触通信により、前記通信手段の記憶領域に記憶されている配信情報を前記通信端末に送信する送信手段と、
を備えることを特徴とする情報提供システム。
【０１１３】
（付記１４）透明板の周辺部材に埋め込まれた通信装置により、前記透明板近傍に存在する通信端末からの情報を取得する情報取得手段と、
前記情報取得手段によって取得された前記通信端末からの情報を投射対象に設定する設定手段と、
前記コンピュータに接続された投射装置を制御することにより、前記設定手段によって設定された投射対象を、前記透明板に設けられた透過型スクリーンに表示させる表示制御手段と、
を備えることを特徴とする情報提供システム。
【０１１４】
（付記１５）透明板の周辺部材に埋め込まれた通信装置により、当該通信装置近傍に存在する通信端末からの属性情報を、受信してデータベースに蓄積する蓄積手段と、
前記データベースの中から前記転送手段によって転送された属性情報に応じた情報を検索する検索手段と、
前記検索手段によって検索された情報を、前記透明板に設けられた透過型スクリーンに表示させる表示制御手段と、
を備えることを特徴とする情報提供システム。
【図面の簡単な説明】
【０１１５】
【図１】実施の形態１における店舗が並ぶ通りを示す説明図である。
【図２−１】実施の形態１における情報提供の動作手順の概要を示す説明図（その１）である。
【図２−２】実施の形態１における情報提供の動作手順の概要を示す説明図（その２）である。
【図２−３】実施の形態１における情報提供の動作手順の概要を示す説明図（その３）である。
【図２−４】実施の形態１における情報提供の動作手順の概要を示す説明図（その４）である。
【図３】実施の形態１にかかる情報提供システムおよび通信端末のハードウェア構成を示すブロック図である。
【図４】コンピュータの記憶装置に記憶されているコンテンツ情報のデータ構造の一例を示す説明図である。
【図５】実施の形態１にかかる情報提供システムの機能的構成を示すブロック図である。
【図６】実施の形態１にかかる情報提供システムにおけるコンピュータの処理手順を示すフローチャート（その１）である。
【図７】実施の形態１にかかる情報提供システムにおけるコンピュータの処理手順を示すフローチャート（その２）である。
【図８】実施の形態２における店舗が並ぶ通りを示す説明図である。
【図９−１】実施の形態２における情報提供の動作手順の概要を示す説明図（その１）である。
【図９−２】実施の形態２における情報提供の動作手順の概要を示す説明図（その２）である。
【図９−３】実施の形態２における情報提供の動作手順の概要を示す説明図（その３）である。
【図１０】実施の形態２にかかる情報提供システムおよび通信端末のハードウェア構成を示すブロック図である。
【図１１】アップロード情報のデータ構造を示す説明図である。
【図１２】実施の形態２にかかる情報提供システムの機能的構成を示すブロック図である。
【図１３】実施の形態２にかかる情報提供処理手順を示すフローチャート（その１）である。
【図１４】実施の形態２にかかる情報提供処理手順を示すフローチャート（その２）である。
【図１５】実施の形態３にかかる情報提供システムおよび通信端末のハードウェア構成を示すブロック図である。
【図１６】コンテンツ情報のデータ構造の一例を示す説明図である。
【図１７】利用者情報のデータ構造の一例を示す説明図である。
【図１８】実施の形態３にかかる情報提供システムの機能的構成を示すブロック図である。
【図１９】実施の形態３にかかる情報提供処理手順を示すフローチャートである。
【符号の説明】
【０１１６】
１００  店舗
１０１  ガラス（透明板）
１０２  透過型スクリーン
１０３  利用者
１０４  通信端末
１０５  表示画面
１０６  フレーム（周辺部材）
２００  コンピュータ
２０１  リーダ／ライタ
２０２  ＲＦＩＤタグ
２０３  投射装置
３００，１０００，１５００  情報提供システム
９００  通信装置
１００４  人体検出センサ
【図１】
2010152646.tif 000003
【図２−１】
2010152646.tif 000004
【図２−２】
2010152646.tif 000005
【図２−３】
2010152646.tif 000006
【図２−４】
2010152646.tif 000007
【図３】
2010152646.tif 000008
【図４】
2010152646.tif 000009
【図５】
2010152646.tif 000010
【図６】
2010152646.tif 000011
【図７】
2010152646.tif 000012
【図８】
2010152646.tif 000013
【図９−１】
2010152646.tif 000014
【図９−２】
2010152646.tif 000015
【図９−３】
2010152646.tif 000016
【図１０】
2010152646.tif 000017
【図１１】
2010152646.tif 000018
【図１２】
2010152646.tif 000019
【図１３】
2010152646.tif 000020
【図１４】
2010152646.tif 000021
【図１５】
2010152646.tif 000022
【図１６】
2010152646.tif 000023
【図１７】
2010152646.tif 000024
【図１８】
2010152646.tif 000025
【図１９】
2010152646.tif 000026